(57)【特許請求の範囲】
【請求項１】
利用者がネットワークを介してデータベースから取得したデータを修正しそれを前記ネットワークを介して前記データベースに格納する操作を行う利用者端末と、前記利用者端末の利用者を認証しその接続情報を格納し，前記利用者の指示に従って前記データベースを検索し該当のデータを取り込み，そのデータをＸＭＬスキーマに従ってＸＭＬ文書に変換しそれに前記接続情報を付加して前記利用者端末に送信し，前記利用者端末から前記ＸＭＬ文書に修正を施したＸＭＬ文書を受信し、前記ＸＭＬ文書を確認しその結果に基づいて前記データベースの該当のデータを修正するデータ処理装置と、前記データベースを格納するデータ記憶部と，前記ＸＭＬスキーマを格納するＸＭＬスキーマ記憶部と，前記接続情報を格納する接続情報記憶部とを含み前記データ処理装置に接続された記憶装置とを具備することを特徴とする格納データ修正システム。
【請求項２】
請求項１記載の格納データ修正システムの前記データ処理装置は、利用者端末から受信した利用者のユーザＩＤおよびパスワードをチェックし前記利用者が前記データ処理装置を利用可能か否かを判断し利用可能の場合にはその接続時の情報を前記接続情報記憶部に保存する認証部と、前記利用者端末から受信した検索条件に基づいて前記データ記憶部から該当のデータを取り込みその検索時の情報を前記接続情報記憶部に保存する検索部と、前記ＸＭＬスキーマ記憶部に格納されているＸＭＬスキーマを呼出しそれに従って前記データをＸＭＬ文書に変換するＸＭＬ文書形式変換部と、前記接続情報記憶部に保存した情報を呼出しそれを前記ＸＭＬスキーマに従って変換し前記ＸＭＬ文書に追加して前記利用者端末に送信する接続情報付加部と、前記利用者端末から修正を施したＸＭＬ文書を受信しそのＸＭＬスキーマを識別して前記ＸＭＬ文書の妥当性を判断するＸＭＬ文書確認部と、前記ＸＭＬ文書確認部が前記ＸＭＬ文書を妥当と判断した場合には前記データ記憶部に格納されている該当のデータを修正するデータ修正部とを備えることを特徴とする格納データ修正システム。
【請求項３】
利用者がネットワークを介してデータベースから取得したデータを修正しそれを前記ネットワークを介して前記データベースに格納する操作を行う利用者端末と、前記利用者端末の利用者を認証しその接続情報を格納し，前記利用者の指示に従って前記データベースを検索し該当のデータを取り込み，あらかじめ保持している利用者情報を参照し前記利用者が使用し得るＸＭＬスキーマを選択し，前記データを前記ＸＭＬスキーマに従ってＸＭＬ文書に変換しそれに前記接続情報を付加して前記利用者端末に送信し，前記利用者端末から前記ＸＭＬ文書に修正を施したＸＭＬ文書を受信し、前記ＸＭＬ文書を確認しその結果に基づいて前記データベースの該当のデータを修正するデータ処理装置と、前記データベースを格納するデータ記憶部と，前記ＸＭＬスキーマを格納するＸＭＬスキーマ記憶部と，前記接続情報を格納する接続情報記憶部と，前記利用者情報を保持する利用者情報記憶部とを含み前記データ処理装置に接続された記憶装置とを具備することを特徴とする格納データ修正システム。
【請求項４】
請求項３記載の格納データ修正システムの前記データ処理装置は、利用者端末から受信した利用者のユーザＩＤおよびパスワードをチェックし前記利用者が前記データ処理装置を利用可能か否かを判断し利用可能の場合にはその接続時の情報を前記接続情報記憶部に保存する認証部と、前記利用者端末から受信した検索条件に基づいて前記データ記憶部から該当のデータを取り込みその検索時の情報を前記接続情報記憶部に保存する検索部と、あらかじめ保持している利用者情報を参照し前記利用者が使用し得るＸＭＬスキーマを指示するＸＭＬスキーマ選択部と，前記ＸＭＬスキーマ記憶部に格納されている前記ＸＭＬスキーマを呼出しそれに従って前記データをＸＭＬ文書に変換するＸＭＬ文書形式変換部と、前記接続情報記憶部に保存した情報を呼出しそれを前記ＸＭＬスキーマに従って変換し前記ＸＭＬ文書に追加して前記利用者端末に送信する接続情報付加部と、前記利用者端末から前記ＸＭＬ文書に修正を施したＸＭＬ文書を受信しそのＸＭＬスキーマを識別して前記ＸＭＬ文書の妥当性を判断するＸＭＬ文書確認部と、前記ＸＭＬ文書確認部が前記ＸＭＬ文書を妥当と判断した場合には前記データ記憶部に格納されている該当のデータを修正するデータ修正部とを備えることを特徴とする格納データ修正システム。
【発明の詳細な説明】
【０００１】
【発明の属する技術分野】
本発明は格納データ修正システムおよびそのプログラム記録媒体に関し、特にＲＤＢ（ｒｅｌａｔｉｏｎａｌ  ｄａｔａ  ｂａｓｅ、以下、ＲＤＢという。）に格納されたデータをＸＭＬ（ｅｘｔｅｎｓｉｂｌｅ  ｍａｒｋｕｐ  ｌａｎｇｕａｇｅ、以下、ＸＭＬという。）を用いて端末に取り出しオフラインで修正して再びＲＤＢに格納し得る格納データ修正システムおよびそのプログラム記録媒体に関する。
【０００２】
【従来の技術】
サーバが管理するファイルの格納データをクライアントから参照し利用することは日常的に行われているが、そのデータを更新する場合にはその処理の安全・確実を期するために、特別のルールや制限を設けることが多い。
【０００３】
たとえば、ＲＤＢに格納されている特定のデータを安全に修正するためには、（１）利用者端末およびＲＤＢは修正が完了するまでオンラインで接続されていること、もしくは、（２）ＲＤＢ側（サーバ側）で何らかの接続情報を保持し、それに該当する利用者端末からのデータ修正要求のみ受け付けること、などが定められている。
【０００４】
しかしながら、（１）の場合、利用者はオンラインで接続されている状態でしかデータを修正できない。また、（２）の場合、ＲＤＢ側で保持できる情報量には限りがあるので、利用者は接続情報が無効になる前に修正データを送信する必要がある。
【０００５】
【発明が解決しようとする課題】
上記のような従来の格納データ修正システムは、次の問題点を有している。
【０００６】
第一の問題点は、利用者が格納データを取得しそれを修正してＲＤＢを更新するまでの間、利用者端末とＲＤＢとの接続を切断できないことである。すなわち、利用者は格納データを取得した後で、都合のよいときにそれを修正してＲＤＢを更新することは困難である。
【０００７】
第二の問題点は、ＲＤＢ側で利用者端末との接続情報を保持している場合にはその接続を切断できるが、その後の利用者端末からのリクエストはデータ修正要求しか受付けられないことである。すなわち、接続情報が無効になる前に修正データを送信しなければならない。
【０００８】
第三の問題点は、格納データの送受信や修正の際にＲＤＢの仕様に制限され、送受信ツールや修正ツールとして利用者が使いなれたものを自由に選択して使用できないことである。すなわち、上記の制限により、送受信データの暗号化も困難である。
【０００９】
本発明の目的は、上記のような欠点を改善するために、利用者端末とＲＤＢサーバとの間でその接続情報を含むＲＤＢ格納データをＸＭＬ文書データとして交信することにより、その格納データを端末側でオフラインで安全・確実に修正し得る格納データ修正システムおよびそのプログラム記録媒体を提供することにある。
【００１０】
【課題を解決するための手段】
本発明の格納データ修正システムは、利用者がネットワークを介してデータベースから取得したデータを修正しそれを前記ネットワークを介して前記データベースに格納する操作を行う利用者端末と、前記利用者端末の利用者を認証しその接続情報を格納し，前記利用者の指示に従って前記データベースを検索し該当のデータを取り込み，そのデータをＸＭＬスキーマに従ってＸＭＬ文書に変換しそれに前記接続情報を付加して前記利用者端末に送信し，前記利用者端末から前記ＸＭＬ文書に修正を施したＸＭＬ文書を受信し、前記ＸＭＬ文書を確認しその結果に基づいて前記データベースの該当のデータを修正するデータ処理装置と、前記データベースを格納するデータ記憶部と，前記ＸＭＬスキーマを格納するＸＭＬスキーマ記憶部と，前記接続情報を格納する接続情報記憶部とを含み前記データ処理装置に接続された記憶装置とを具備することを特徴とする。
【００１１】
また、請求項１記載の格納データ修正システムの前記データ処理装置は、利用者端末から受信した利用者のユーザＩＤおよびパスワードをチェックし前記利用者が前記データ処理装置を利用可能か否かを判断し利用可能の場合にはその接続時の情報を前記接続情報記憶部に保存する認証部と、前記利用者端末から受信した検索条件に基づいて前記データ記憶部から該当のデータを取り込みその検索時の情報を前記接続情報記憶部に保存する検索部と、前記ＸＭＬスキーマ記憶部に格納されているＸＭＬスキーマを呼出しそれに従って前記データをＸＭＬ文書に変換するＸＭＬ文書形式変換部と、前記接続情報記憶部に保存した情報を呼出しそれを前記ＸＭＬスキーマに従って変換し前記ＸＭＬ文書に追加して前記利用者端末に送信する接続情報付加部と、前記利用者端末から修正を施したＸＭＬ文書を受信しそのＸＭＬスキーマを識別して前記ＸＭＬ文書の妥当性を判断するＸＭＬ文書確認部と、前記ＸＭＬ文書確認部が前記ＸＭＬ文書を妥当と判断した場合には前記データ記憶部に格納されている該当のデータを修正するデータ修正部とを備えることを特徴とする。
【００１２】
また、利用者がネットワークを介してデータベースから取得したデータを修正しそれを前記ネットワークを介して前記データベースに格納する操作を行う利用者端末と、前記利用者端末の利用者を認証しその接続情報を格納し，前記利用者の指示に従って前記データベースを検索し該当のデータを取り込み，あらかじめ保持している利用者情報を参照し前記利用者が使用し得るＸＭＬスキーマを選択し，前記データを前記ＸＭＬスキーマに従ってＸＭＬ文書に変換しそれに前記接続情報を付加して前記利用者端末に送信し，前記利用者端末から前記ＸＭＬ文書に修正を施したＸＭＬ文書を受信し、前記ＸＭＬ文書を確認しその結果に基づいて前記データベースの該当のデータを修正するデータ処理装置と、前記データベースを格納するデータ記憶部と，前記ＸＭＬスキーマを格納するＸＭＬスキーマ記憶部と，前記接続情報を格納する接続情報記憶部と，前記利用者情報を保持する利用者情報記憶部とを含み前記データ処理装置に接続された記憶装置とを具備することを特徴とする。
【００１３】
さらに、請求項３記載の格納データ修正システムの前記データ処理装置は、利用者端末から受信した利用者のユーザＩＤおよびパスワードをチェックし前記利用者が前記データ処理装置を利用可能か否かを判断し利用可能の場合にはその接続時の情報を前記接続情報記憶部に保存する認証部と、前記利用者端末から受信した検索条件に基づいて前記データ記憶部から該当のデータを取り込みその検索時の情報を前記接続情報記憶部に保存する検索部と、あらかじめ保持している利用者情報を参照し前記利用者が使用し得るＸＭＬスキーマを指示するＸＭＬスキーマ選択部と，前記ＸＭＬスキーマ記憶部に格納されている前記ＸＭＬスキーマを呼出しそれに従って前記データをＸＭＬ文書に変換するＸＭＬ文書形式変換部と、前記接続情報記憶部に保存した情報を呼出しそれを前記ＸＭＬスキーマに従って変換し前記ＸＭＬ文書に追加して前記利用者端末に送信する接続情報付加部と、前記利用者端末から前記ＸＭＬ文書に修正を施したＸＭＬ文書を受信しそのＸＭＬスキーマを識別して前記ＸＭＬ文書の妥当性を判断するＸＭＬ文書確認部と、前記ＸＭＬ文書確認部が前記ＸＭＬ文書を妥当と判断した場合には前記データ記憶部に格納されている該当のデータを修正するデータ修正部とを備えることを特徴とする。
【００１９】
図１は本発明の実施の第一の形態を示すブロック図である。同図において、本発明による格納データ修正システムは、格納データ修正処理を実行するデータ処理装置２と、このデータ処理装置にネットワーク４を介して接続された利用者端末１と、格納データを含む各種の情報を保持し上記のデータ処理装置に接続された記憶装置３とを有している。
【００２０】
記憶装置３は、データ記憶部３１と、ＸＭＬスキーマ記憶部３２と、接続情報記憶部３３とを備えている。データ記憶部３１はＲＤＢを利用して、たとえば図２に示すような形式のデータを格納している。ＸＭＬスキーマ記憶部３２は生成したＸＭＬ文書の構造を定義する、たとえば図３に示すようなＸＭＬスキーマを格納している。接続情報記憶部３３は利用者端末１とデータ処理装置２との接続時に発生する情報を保存する。
【００２１】
データ処理装置２は、認証部２１と、検索部２２と、ＸＭＬ文書形式変換部２３と、接続情報付加部２４と、ＸＭＬ文書確認部２５と、データ修正部２６とを備えている。
【００２２】
認証部２１は、利用者端末１から受信したユーザＩＤとパスワードをチェックし、データ処理装置２を利用可能かどうか判断する。利用可能と判断した場合、接続時の情報（利用者端末１に関する情報，ユーザＩＤ，接続時の日時等）を接続情報記憶部３３に保存する。
【００２３】
検索部２２は、利用者端末１から受信した検索条件を元にデータ記憶部３１から該当するデータを取り出す。また検索時の情報（検索結果を取得した日時，修正するデータを一意に識別するキー項目データ）を接続情報記憶部３３に保存する。
【００２４】
ＸＭＬ文書形式変換部２３は、取り出されたデータを、ＸＭＬスキーマ記憶部３２に格納されているＸＭＬスキーマ（図３参照）に従って、図４のようなＸＭＬ文書に変換する。このＸＭＬスキーマには、後述する接続情報付加部２４が付加する接続情報とＸＭＬスキーマ識別名、および利用者がどのデータを修正可能かも定義されている。
【００２５】
接続情報付加部２４は、作成されたＸＭＬ文書に接続情報記憶部３３から取り出した接続情報と作成に使用したＸＭＬスキーマ識別名を暗号化して追加する。追加の際も、ＸＭＬ文書作成時に使用したＸＭＬスキーマに従う。作成されたＸＭＬ文書は図５のような形式になる。
【００２６】
利用者は、作成されたＸＭＬ文書をデータ処理装置２から利用者端末１へ取り出す。取り出した後、利用者は利用者端末１とデータ処理装置２との接続を切ることができる。そして、利用者はＸＭＬ文書の内容を修正後、データ処理装置２に送信する。なお、データ処理装置２との接続を切っていた場合は、再接続後、認証部２１により利用可能か否か判断される。
【００２７】
ＸＭＬ文書確認部２５は利用者端末１から受信したＸＭＬ文書に含まれる接続情報とＸＭＬスキーマ識別名を取り出す。そして該当するＸＭＬスキーマをＸＭＬスキーマ記憶部３２から取り出し、受信したＸＭＬ文書の妥当性を確認する。またＸＭＬ文書内の各データに関してもチェックする。もしなんらかの不備があれば利用者に不備の内容を通知し処理を中止する。
【００２８】
データ修正部２６は、データ記憶部３１に格納されている該当データを修正し、利用者に修正したことを通知する。
【００２９】
上記のようにして、利用者はＲＤＢの格納データを利用者端末側においてオフラインで修正し、その結果をＲＤＢに反映することができる。さらに、暗号技術を採用することにより、安全・確実に格納データを更新することができる。
【００３０】
図６は利用者が格納データを取得する動作を示す流れ図である。
【００３１】
まず、利用者端末１から送信されたＩＤとパスワードは、認証部２１でデータ処理装置２が利用可能かどうか判断される（ステップＡ１およびＡ２）。利用不可能な場合は、利用者端末１へ利用不可能の通知を行う（ステップＡ３）。利用可能と判断された場合、接続時の情報（利用者端末１に関する情報，ユーザＩＤ，接続時の日時等）を接続情報記憶部３３に保存し、利用者端末１が検索条件を送信するのを待つ（ステップＡ４）。
【００３２】
検索条件受信後、その条件に該当するデータをデータ記憶部３１から取り出す（ステップＡ５，Ａ６，Ａ７）。該当するデータが無かった場合、利用者端末１へ条件に一致するデータが無かったことを通知する（ステップＡ８）。データが存在した場合、検索時の情報（検索結果を取得した日時，修正するデータを一意に識別するキー項目データ）を接続情報記憶部３３に保存する（ステップＡ９）。
【００３３】
次に、取り出したデータをＸＭＬ文書形式変換部２３によって、ＸＭＬスキーマ記憶部３２に格納されているＸＭＬスキーマを基にＸＭＬ文書に変換する（ステップＡ１０）。作成されたＸＭＬ文書に接続情報付加部２４が、接続情報記憶部３３から取り出した接続時の情報と、作成に使用したＸＭＬを識別するための識別名を暗号化して追加する（ステップＡ１１）。このようにして作成されたＸＭＬ文書を利用者端末１へ送信する（ステップＡ１２）。
【００３４】
利用者は、受信したＸＭＬ文書の内容を利用者端末１上で適当な方法（任意のワープロなどを使用することができる。）により修正後、データ処理装置２と接続する。
【００３５】
図７は修正データで格納データを更新する動作を示す流れ図である。
【００３６】
まず、利用者端末１から送信されたＩＤとパスワードは、認証部２１で受信され、データ処理装置２を利用可能かどうか判断される（ステップＢ１およびＢ２）。利用不可能な場合は、利用者端末１へ利用不可能の通知を行う（ステップＢ３）。利用可能と判断された場合、接続時の情報（利用者端末１に関する情報，ユーザＩＤ，接続時の日時等）を接続情報記憶部３３に保存し、利用者端末１から修正したＸＭＬ文書の送信を待つ（ステップＢ４）。
【００３７】
ＸＭＬ文書受信後、ＸＭＬ文書確認部２５がＸＭＬ文書の内容を確認する（ステップＢ５およびＢ６）。ＸＭＬ文書の内容に不備があった場合、利用者端末１へ不備があったことを通知する（ステップＢ７およびＢ８）。ＸＭＬ文書確認部２５が受信したＸＭＬ文書で修正可能と判断した場合、データ修正部２６はデータ記憶部３１に格納されている該当データを修正する（ステップＢ９）。最後に、修正が正常に終了したことを利用者端末１へ通知する（ステップＢ１０）。
【００３８】
なお、利用者端末１がＸＭＬ文書を受信後にデータ処理装置１との接続を切断しなかった場合には、上記のステップＢ１〜Ｂ３は不要である。
【００３９】
図８は本発明の実施の第二の形態を示すブロック図である。同図において、本発明による格納データ修正システムは、ＸＭＬ文書形式変換部２３ａおよびＸＭＬスキーマ選択部２７を含むデータ処理装置２ａと、利用者情報記憶部３４を含む記憶装置３ａとを有している。データ処理装置２ａおよび記憶装置３ａが具備する他の機能構成は、図１に既に示した実施の第一の形態と同一であるので、説明を省略する。
【００４０】
利用者情報記憶部３４には、利用者のＩＤおよびその利用者の権限情報が記載されている。その例を図１０に示す。またＸＭＬスキーマ記憶部３２には、利用者の権限に応じた複数のＸＭＬスキーマ（修正可能データが異なる）が登録されている。その例を図１１に示す。
【００４１】
ＸＭＬ文書形式変換部２３ａは、ＸＭＬスキーマ記憶部３２からＸＭＬスキーマを取り出す際、ＸＭＬスキーマ選択部２７にどのＸＭＬスキーマを使用するべきか問い合せる。
【００４２】
ＸＭＬスキーマ選択部２７は、接続情報記憶部３３から現在接続中の利用者を特定し、利用者情報記憶部３４から利用者の権限情報を取り出す。次にその権限情報を基に、ＸＭＬ文書形式変換部２３ａに使用すべきＸＭＬスキーマ識別名を通知する。ＸＭＬ文書形式変換部２３ａは、通知された識別名により、該当するＸＭＬスキーマをＸＭＬスキーマ記憶部３２から取り出し、ＸＭＬ文書を作成する。
【００４３】
図９は上記の格納データ修正システムにおいて、利用者が格納データを取得する動作を示す流れ図である。同図において、既に説明した実施の第一の形態（図１参照）の動作（図６参照）と異る点は、ステップＣ１を含むことである。
【００４４】
すなわち、実施の第一の形態では、ＸＭＬスキーマは一つしか登録されていなかった。本実施例では、利用者毎に権限を設定し、権限に応じた複数のＸＭＬスキーマを登録することにより、利用者に応じて修正可能なデータ項目を指定することを可能とする。
【００４５】
ここで、図１０に示す「（ａ）利用者情報」と「（ｂ）権限とＸＭＬスキーマの対応情報」が利用者情報記憶部３４に、図１１に示す「ＸＭＬスキーマ種別」がＸＭＬスキーマ記憶部３２にそれぞれ登録されているとする。
【００４６】
このとき、ＵｓｅｒＵ１で接続した場合、ＸＭＬスキーマ選択部２７は利用者情報記憶部３４からＵｓｅｒＵ１の権限で使用可能なＸＭＬスキーマはＳｃｈｅｍａ−Ｍであることを調べ、ＸＭＬ文書形式変換部２３ａに通知する（ステップＣ１）。
【００４７】
ＸＭＬ文書形式変換部２３ａは通知されたＳｃｈｅｍａ−ＭをＸＭＬスキーマ記憶部３２から取り出し、Ｓｃｈｅｍａ−Ｍに従ったＸＭＬ文書を作成する。同様に、ＵｓｅｒＵ２で接続した場合は、Ｓｃｈｅｍａ−Ｎに従ったＸＭＬ文書を作成する（ステップＡ１０）。
【００４８】
図９における他のステップＡ１〜Ａ１２は、既に図６において詳細に説明したので、ここでは省略する。
【００４９】
なお、本発明による格納データ修正システムは、データ処理装置の主記憶（図示していない。）に保持されたプログラムを実行することによって動作する。このプログラムは、通常、ハードディスクなどの二次記憶に格納されており、格納データ修正システムを稼働するときに主記憶にロードされ、実行される。
【００５０】
【発明の効果】
以上、詳細に説明したように、本発明によれば次の効果が得られる。
【００５１】
第一の効果は、ＲＤＢに格納されているデータをオフラインで修正できることにある。その理由は、修正する可能性があるデータをすべてＸＭＬ文書に変換し利用者の端末に保存後、修正したＸＭＬ文書をデータ処理装置に送信し、データ処理装置がＲＤＢに格納されているデータを修正するため、利用者は接続を切ってデータを修正できるためである。また、ＸＭＬ文書にデータ取り出し時の情報およびＸＭＬ文書変換時に使用したＸＭＬスキーマに関する識別名を暗号化して追加しているため、悪意のある利用者が適当に作成したＸＭＬ文書を用いてＲＤＢに格納されているデータを修正することも防げる。
【００５２】
第二の効果は、利用者がデータの送受信および修正に利用するツールを自由に選択できることにある。その理由は、今後インターネット上のデータ交換において標準になるといわれているＸＭＬ文書形式にデータを変換するためである。すなわち、データの送受信時にはＷｅｂブラウザを、データの修正には市販のワードプロセッサをそれぞれ利用できるため、利用者が自分の都合にあわせて最適な製品を選択することが可能である。
【図面の簡単な説明】
【図１】本発明の実施の第一の形態を示すブロック図。
【図２】格納データの例を示す説明図。
【図３】ＸＭＬスキーマの例を示す説明図。
【図４】ＸＭＬ文書の例（１）を示す説明図。
【図５】ＸＭＬ文書の例（２）を示す説明図。
【図６】本発明の実施の第一の形態の動作を示す流れ図（１）。
【図７】本発明の実施の第一の形態の動作を示す流れ図（２）。
【図８】本発明の実施の第二の形態を示すブロック図。
【図９】本発明の実施の第二の形態の動作を示す流れ図。
【図１０】利用者情報記憶部の格納データの例を示す説明図。
【図１１】ＸＭＬスキーマ種別の例を示す説明図。
【符号の説明】
１    利用者端末
２，２ａ    データ処理装置
３，３ａ    記憶装置
４    ネットワーク
２１    認証部
２２    検索部
２３，２３ａ    ＸＭＬ文書形式変換部
２４    接続情報付加部
２５    ＸＭＬ文書確認部
２６    データ修正部
２７    ＸＭＬスキーマ選択部
３１    データ記憶部
３２    ＸＭＬスキーマ記憶部
３３    接続情報記憶部
３４    利用者情報記憶部
【図１】
0003610866.tif 000002
【図２】
0003610866.tif 000003
【図３】
0003610866.tif 000004
【図４】
0003610866.tif 000005
【図５】
0003610866.tif 000006
【図６】
0003610866.tif 000007
【図７】
0003610866.tif 000008
【図８】
0003610866.tif 000009
【図９】
0003610866.tif 000010
【図１０】
0003610866.tif 000011
【図１１】
0003610866.tif 000012